【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
ネットワークサイトから、公開情報記録に公開される最初のデータアイテムを取得するステップであって、前記最初のデータアイテムは、前記ネットワークサイトのサービスアイテムに関連付けられている、ステップと；
前記公開情報記録に、前記サービスアイテムに関連付けられ以前に公開されたデータアイテムが含まれていないと特定するステップと；
前記公開情報記録が前記サービスアイテムに関連付けられ以前に公開されたデータアイテムを含まないと特定したことに応じて、所定の初期情報に基づいて第１の暗号化値を生成するステップと；
前記最初のデータアイテムと、生成された前記第１の暗号化値とを前記公開情報記録に格納するステップであって、前記第１の暗号化値はユーザが前記最初のデータアイテムが前記ネットワークサイトで変更されたかどうかを検出できるように構成されている、ステップと；
前記ネットワークサイトから、前記公開情報記録に公開される、前記最初のデータアイテムとは異なる第２のデータアイテムを取得するステップであって、前記第２のデータアイテムは、前記サービスアイテムに関連付けられている、ステップと；
前記公開情報記録に、前記サービスアイテムに関連付けられ以前に公開されたデータアイテムが含まれていると特定するステップと；
前記公開情報記録に、前記サービスアイテムに関連付けられ以前に公開されたデータアイテムが含まれていると特定した場合に：
前記サービスアイテムに関連付けられ以前に公開されたデータのインターバルの数を特定するステップであって、前記以前に公開されたデータのインターバルの数は、前記以前に公開されたデータのデータアイテムの数、又は第２のデータより以前の所定の時間範囲におけるデータアイテムの数を含む、ステップと；
前記サービスアイテムに関連付けられ以前に公開されたデータの最新のインターバルの数を取得するステップと；
前記サービスアイテムに関連付けられ以前に公開されたデータの最新のインターバルの数に基づいて、第２の暗号化値を生成するステップと；
前記公開情報記録に第２のデータアイテムと第２の暗号化値を格納するステップと；を備える、
コンピュータにより実施される方法。
【請求項２】
前記最初のデータアイテムは、ユーザコメントスレッド、告知情報、寄付情報、クラウドソーシング情報、決済情報記録、又は注文データ記録の少なくとも１つを備える、
請求項１に記載のコンピュータにより実施される方法。
【請求項３】
所定の初期情報に基づいて前記第１の暗号化値を生成するための付加データを取得するステップであって、前記付加データは情報公開サーバからの指示を含む、ステップを更に備える、
請求項１に記載のコンピュータにより実施される方法。
【請求項４】
前記所定の初期情報に基づいて前記第１の暗号化値の生成するステップは、メッセージダイジェスト２（ＭＤ２）、メッセージダイジェスト４（ＭＤ４）、メッセージダイジェスト５（ＭＤ５）、又はセキュアハッシュアルゴリズム１（ＳＨＡ１）の少なくとも１つを備える暗号化アルゴリズムを用いて実行される、
請求項１に記載のコンピュータにより実施される方法。
【請求項５】
前記公開情報記録にアクセスするユーザに提供するために、生成された前記第１の暗号化値のリンクを生成するステップを更に備える、
請求項１に記載のコンピュータにより実施される方法。
【請求項６】
所定の操作を実行するためにコンピュータシステムによって実行可能な１又は複数の命令を格納する非一時的なコンピュータ読取可能媒体であって、前記操作は：
ネットワークサイトから、公開情報記録に公開される最初のデータアイテムを取得する操作であって、前記最初のデータアイテムは、前記ネットワークサイトのサービスアイテムに関連付けられている、操作と；
前記公開情報記録に、前記サービスアイテムに関連付けられ以前に公開されたデータアイテムが含まれていないと特定する操作と；
前記公開情報記録が前記サービスアイテムに関連付けられ以前に公開されたデータアイテムを含まないと特定したことに応じて、所定の初期情報に基づいて第１の暗号化値を生成する操作と；
前記最初のデータアイテムと、生成された前記第１の暗号化値とを前記公開情報記録に格納する操作であって、前記第１の暗号化値はユーザが前記最初のデータアイテムが前記ネットワークサイトで変更されたかどうかを検出できるように構成されている、操作と；
前記ネットワークサイトから、前記公開情報記録に公開される、前記最初のデータアイテムとは異なる第２のデータアイテムを取得する操作であって、前記第２のデータアイテムは、前記サービスアイテムに関連付けられている、操作と；
前記公開情報記録に、前記サービスアイテムに関連付けられ以前に公開されたデータアイテムが含まれていると特定する操作と；
前記公開情報記録に、前記サービスアイテムに関連付けられ以前に公開されたデータアイテムが含まれていると特定した場合に：
前記サービスアイテムに関連付けられ以前に公開されたデータのインターバルの数を特定する操作であって、前記以前に公開されたデータのインターバルの数は、前記以前に公開されたデータのデータアイテムの数、又は第２のデータより以前の所定の時間範囲におけるデータアイテムの数を含む、操作と；
前記サービスアイテムに関連付けられ以前に公開されたデータの最新のインターバルの数を取得する操作と；
前記サービスアイテムに関連付けられ以前に公開されたデータの最新のインターバルの数に基づいて、第２の暗号化値を生成する操作と；
前記公開情報記録に第２のデータアイテムと第２の暗号化値を格納する操作と；を備える、
非一時的なコンピュータ読取可能媒体。
【請求項７】
前記最初のデータアイテムは、ユーザコメントスレッド、告知情報、寄付情報、クラウドソーシング情報、決済情報記録、又は注文データ記録の少なくとも１つを備える、
請求項６に記載の非一時的なコンピュータ読取可能媒体。
【請求項８】
前記操作は、所定の初期情報に基づいて前記第１の暗号化値を生成するための付加データを取得する操作であって、前記付加データは情報公開サーバからの指示を含む、操作を更に備える、
請求項６に記載の非一時的なコンピュータ読取可能媒体。
【請求項９】
前記所定の初期情報に基づいて前記第１の暗号化値の生成する操作は、メッセージダイジェスト２（ＭＤ２）、メッセージダイジェスト４（ＭＤ４）、メッセージダイジェスト５（ＭＤ５）、又はセキュアハッシュアルゴリズム１（ＳＨＡ１）の少なくとも１つを備える暗号化アルゴリズムを用いて実行される、
請求項６に記載の非一時的なコンピュータ読取可能媒体。
【請求項１０】
前記操作は、前記公開情報記録にアクセスするユーザに提供するために、生成された前記第１の暗号化値のリンクを生成する操作を更に備える、
請求項６に記載の非一時的なコンピュータ読取可能媒体。
【請求項１１】
コンピュータにより実施されるシステムであって：
１又は複数のコンピュータと；
前記１又は複数のコンピュータと相互運用可能に結合され、前記１又は複数のコンピュータによって実行される１又は複数の操作を実行する１又は複数の命令を格納する有形の非一時的な機械読取可能媒体を有する１又は複数のコンピュータメモリデバイスであって、前記操作は：
ネットワークサイトから、公開情報記録に公開される最初のデータアイテムを取得する操作であって、前記最初のデータアイテムは、前記ネットワークサイトのサービスアイテムに関連付けられている、操作と；
前記公開情報記録に、前記サービスアイテムに関連付けられ以前に公開されたデータアイテムが含まれていないと特定する操作と；
前記公開情報記録が前記サービスアイテムに関連付けられ以前に公開されたデータアイテムを含まないと特定したことに応じて、所定の初期情報に基づいて第１の暗号化値を生成する操作と；
前記最初のデータアイテムと、生成された前記第１の暗号化値とを前記公開情報記録に格納する操作であって、前記第１の暗号化値はユーザが前記最初のデータアイテムが前記ネットワークサイトで変更されたかどうかを検出できるように構成されている、操作と；
前記ネットワークサイトから、前記公開情報記録に公開される、前記最初のデータアイテムとは異なる第２のデータアイテムを取得する操作であって、前記第２のデータアイテムは、前記サービスアイテムに関連付けられている、操作と；
前記公開情報記録に、前記サービスアイテムに関連付けられ以前に公開されたデータアイテムが含まれていると特定する操作と；
前記公開情報記録に、前記サービスアイテムに関連付けられ以前に公開されたデータアイテムが含まれていると特定した場合に：
前記サービスアイテムに関連付けられ以前に公開されたデータのインターバルの数を特定する操作であって、前記以前に公開されたデータのインターバルの数は、前記以前に公開されたデータのデータアイテムの数、又は第２のデータより以前の所定の時間範囲におけるデータアイテムの数を含む、操作と；
前記サービスアイテムに関連付けられ以前に公開されたデータの最新のインターバルの数を取得する操作と；
前記サービスアイテムに関連付けられ以前に公開されたデータの最新のインターバルの数に基づいて、第２の暗号化値を生成する操作と；
前記公開情報記録に第２のデータアイテムと第２の暗号化値を格納する操作と；を備える、前記１又は複数のコンピュータメモリデバイスと；を備える、
コンピュータにより実施されるシステム。
【請求項１２】
前記最初のデータアイテムは、ユーザコメントスレッド、告知情報、寄付情報、クラウドソーシング情報、決済情報記録、又は注文データ記録の少なくとも１つを備える、
請求項１１に記載のコンピュータにより実施されるシステム。
【請求項１３】
前記操作は、所定の初期情報に基づいて前記第１の暗号化値を生成するための付加データを取得する操作であって、前記付加データは情報公開サーバからの指示を含む、操作を更に備える、
請求項１１に記載のコンピュータにより実施されるシステム。
【請求項１４】
前記所定の初期情報に基づいて前記第１の暗号化値の生成する操作は、メッセージダイジェスト２（ＭＤ２）、メッセージダイジェスト４（ＭＤ４）、メッセージダイジェスト５（ＭＤ５）、又はセキュアハッシュアルゴリズム１（ＳＨＡ１）の少なくとも１つを備える暗号化アルゴリズムを用いて実行される、
請求項１１に記載のコンピュータにより実施されるシステム。
【請求項１５】
前記操作は、前記公開情報記録にアクセスするユーザに提供するために、生成された前記第１の暗号化値のリンクを生成する操作を更に備える、
請求項１１に記載のコンピュータにより実施されるシステム。
【手続補正２】
【補正対象書類名】明細書
【補正対象項目名】００８７
【補正方法】変更
【補正の内容】
【００８７】
本願は実施を用いて説明するが、当業者が理解するように、本願の主旨から逸脱することなく多くの変形及び変更を本願に加えることが可能である。特許請求の範囲は、本願の主旨から逸脱することのないこれらの変形及び変更を包含するものである。
以下、本発明の実施の態様の例を列挙する。
［第１の局面］
公開情報処理方法であって：
公開対象情報を入手し、前記公開対象情報が公開サービスアイテムに対応する最初の公開情報であるかどうかを特定するステップと；
前記特定結果が肯定である場合、所定の暗号化アルゴリズムを用いて所定の初期情報の暗号値を計算し、前記所定の初期情報の前記暗号値を前記公開対象情報に付加するステップ、又は、
そうでない場合、所定の暗号化アルゴリズムを用いて、前記公開対象情報以前に公開された最新の公開情報を含む暗号化されたデータの暗号値を計算し、前記暗号化されたデータの前記暗号値を前記公開対象情報に付加するステップ、と；
所定の形式に基づき、前記暗号値が付加される前記公開対象情報を表示するステップと；を備える、
公開情報処理方法。
［第２の局面］
前記暗号化されたデータは、
所定の方法を用いて入手された、前記最新の公開情報よりも以前の少なくとも１つの公開情報を更に含む、
第１の局面に記載の公開情報処理方法。
［第３の局面］
前記公開対象情報の前に指定数のインターバルを有する公開情報を入手するステップと；
前記公開対象情報の前に所定の時間範囲内の公開情報を入手するステップと；のうちの少なくとも一方を備える、
第２の局面に記載の公開情報処理方法。
［第４の局面］
所定の暗号化アルゴリズムを用いて、前記公開対象情報以前に公開された最新の公開情報を含む暗号化されたデータの暗号値を計算する前記ステップは：
前記暗号化されたデータに含まれる公開情報から指定の情報データを抽出するステップと；
抽出した前記指定の情報データを、前記所定の暗号化アルゴリズムを用いて暗号化し、暗号値を生成するステップと；を備える、
第１又は２の局面に記載の公開情報処理方法。
［第５の局面］
付加データ情報を入手するステップであって、対応して、前記暗号化されたデータは前記付加データ情報を含む、前記入手するステップを更に備える、
第１又は２の局面に記載の公開情報処理方法。
［第６の局面］
前記所定の暗号化アルゴリズムはハッシュアルゴリズムであり、これに対応して、前記暗号値は、前記ハッシュアルゴリズムを用いて処理を実行した後に入手されたハッシュ値である、
第１又は２の局面に記載の公開情報処理方法。
［第７の局面］
前記公開サービスアイテムは、
ユーザコメント管理、適時の告知情報、寄付情報、クラウドソーシングデータ、決済情報記録及び注文データ記録のうちの少なくとも１つを備える、
第１又は２の局面に記載の公開情報処理方法。
［第８の局面］
公開情報処理方法であって：
前記公開情報より以前の前記最新の公開情報を含む暗号化されたデータのもので、所定の暗号化アルゴリズムを用いて計算された第１の暗号値を公開情報から読み取る、又は、公開情報が公開サービスアイテムの最初の公開情報である場合、所定の初期情報のもので、所定の暗号化アルゴリズムを用いて計算された第１の暗号値を前記公開情報から読み取るステップと；
開示された所定の暗号化アルゴリズムと、前記公開情報より前の、暗号値を含む前記最新の公開情報とに基づき、暗号値を含む前記最新の公開情報の第２の暗号値を計算するステップと；
前記第１の暗号値が前記第２の暗号値と同一であるかどうかを特定するステップと；
前記特定結果が否定である場合、前記公開情報より以前の少なくとも１つの公開情報が改竄されたと特定するステップと；を備える、
公開情報処理方法。
［第９の局面］
公開情報処理デバイスであって：
公開対象情報を入手し、前記公開対象情報が公開サービスアイテムに対応する最初の公開情報であるかどうかを特定するように構成された公開対象情報取得ユニットと；
前記公開対象情報取得ユニットの前記特定結果が肯定である場合、所定の暗号化アルゴリズムを用いて、所定の初期情報の暗号値を計算し、前記所定の初期情報の前記暗号値を前記公開対象情報に付加するように構成された所定データ暗号値計算ユニットと；
前記公開対象情報取得ユニットの前記特定結果が否定である場合、所定の暗号化アルゴリズムを用いて、前記公開対象情報以前に前記公開された公開情報を含む暗号化されたデータの暗号値を計算し、前記暗号化されたデータの前記暗号値を前記公開対象情報に付加するように構成された暗号値計算ユニットと；
前記暗号値が付加された前記公開対象情報を所定の形式に基づいて表示するように構成された公開対象情報表示ユニットと；を備える、
公開情報処理デバイス。
［第１０の局面］
前記暗号化されたデータは、
所定の方法を用いて入手された、前記最新の公開情報よりも以前の少なくとも１つの公開情報を更に備える、
第９の局面に記載の公開情報処理デバイス。
［第１１の局面］
前記公開対象情報より以前の指定された数のインターバルを有する公開情報を入手するように構成された所定数字情報取得ユニットと；
前記公開対象情報よりも前の所定の時間範囲内の公開情報を入手するように構成された所定時間情報取得ユニットと；を更に備える、
第１０の局面に記載の公開情報処理デバイス。
［第１２の局面］
前記暗号値計算ユニットは：
前記暗号化されたデータに含まれる公開情報から、指定の情報データを抽出するように構成された第１の情報選択ユニットと；
前記所定の暗号化アルゴリズムを用いて、前記抽出された指定の情報データを暗号化して、前記暗号値を生成するように構成された第１の暗号値生成ユニットと；を備える、
第９又は１０の局面に記載の公開情報処理デバイス。
［第１３の局面］
付加データ情報を入手するように構成された付加データ取得ユニットであって、対応して、前記暗号値計算ユニット内の前記暗号化されたデータは前記付加データ情報を含む、付加データ取得ユニットを備える、
第９又は１０の局面に記載の公開情報処理デバイス。
［第１４の局面］
前記暗号化アルゴリズムはハッシュアルゴリズムであり、これに対応して、前記暗号値は、前記ハッシュアルゴリズムを用いて処理を実行した後に得たハッシュ値である、
第９又は１０の局面に記載の公開情報処理デバイス。
［第１５の局面］
前記公開サービスアイテムは、
ユーザコメント管理、適時な告知情報、寄付情報、クラウドソーシングデータ、決済情報記録、及び注文データ、のうち少なくとも１つを備える、
第９又は１０の局面に記載の公開情報処理デバイス。
［第１６の局面］
公開情報より以前の最新の公開情報を含む暗号化されたデータのもので、所定の暗号化アルゴリズムを用いて計算される第１の暗号値を、前記公開情報から読み取るように、又は、公開情報が公開サービスアイテムの最初の公開情報である場合、所定の初期情報のもので、所定の暗号化アルゴリズムを用いて計算される第１の暗号値を、前記公開情報から読み取るように構成された第１の暗号値取得ユニットと；
開示された所定の暗号化アルゴリズムと、前記公開情報よりも前の、暗号値を含む最新の公開情報とに基づいて、暗号値を含む前記最新の公開情報の第２の暗号値を計算するように構成された第２の暗号値計算ユニットと；
前記第１の暗号値が前記第２の暗号値と同一であるかどうかを特定するように構成された暗号値特定ユニットと；
前記暗号値特定ユニットの前記特定結果が否定である場合、前記公開情報より前の少なくとも１つの公開情報が改竄されたと特定するように構成された改変特定ユニットと；を備える、
公開情報処理デバイス。
［第１７の局面］
入出力インターフェースとプロセッサとを備え、
前記入出力インターフェースは、公開対象情報を入手し、処理された公開対象情報を指定のディスプレイ処理ユニットに送信するように構成され、
前記プロセッサは、前記公開対象情報が公開サービスアイテムに対応する前記最初の公開情報であるかどうかを特定し、前記特定結果が肯定である場合、所定の暗号化アルゴリズムを用いて所定の初期情報の暗号値を計算し、前記所定の初期情報の前記暗号値を前記公開対象情報に付加し、そうでない場合、所定の暗号化アルゴリズムを用いて、前記公開対象情報以前に公開された最新の公開情報を含む暗号化されたデータの暗号値を計算し、前記暗号化されたデータの前記暗号値を前記公開対象情報に付加し、前記処理された公開対象情報を生成するように構成された、
情報公開システム。